(57)【特許請求の範囲】
【請求項１】
ピンによって開閉自在に軸支され、前記ピン回りのスプリングによって閉じ方向に付勢された蓋体を本体に取り付ける開閉蓋構造であって、前記蓋体に前記ピンの両端を支持する両腕を突設し、前記両腕の間に位置して前記ピン及びこのピン回りに保持された前記スプリングに対する収納部を有するホルダを設け、このホルダの先端に前記本体の係合部に係合する可撓性係止片を設け、前記ホルダを前記本体に差し込むときに、一端側が前記蓋体側に保持された前記スプリングの他端側が前記蓋体を閉じる方向に付勢するように捩じられて前記収納部に保持されるようにした開閉蓋構造。
【請求項２】
前記本体の内部側に取り付けられる機器保持体に、前記可撓性係止片が前記係合部から外れる方向の変形を阻止するロック部を設けた請求項１記載の開閉蓋構造。
【請求項３】
前記本体の前記係合部の両側に、前記ピンの両端側を支持するための凹部及び前記ピンの端が当たる壁部が設けられている請求項１または２記載の開閉蓋構造。
【請求項４】
前記本体に前記蓋体が埋もれる凹所が設けられている請求項１記載の開閉蓋構造。
【請求項５】
前記本体の内部側に取り付けられる機器保持体に、前記蓋体を開閉して操作するスイッチが設けられている請求項１〜４のいずれかに記載の開閉蓋構造。
【発明の詳細な説明】
【０００１】
【発明の属する技術分野】
本発明は、非常時に使用するスイッチや、不用意に操作してはならないスイッチを保護する開閉蓋の開閉蓋構造に関する。
【０００２】
【従来の技術】
従来より、この種の開閉蓋構造は、例えば、図５に示すようカバー５２と、カバー５２の中のスイッチ等を保護するカバー蓋５１と、カバー５２とカバー蓋５１とを繋ぎ、開閉動作の軸となるピン５４と、カバー蓋５１を常に閉じる方向に付勢するスプリング５３とで構成されている。このような構成からなる開閉蓋構造は、組み立ての際、ピン５４をカバー蓋５１にかしめるための工具や、スプリング５３を嵌め込む工具等が必要であった。また、図５に示すように、カバー蓋５１の表側からスプリング５３で押さえつける構造であるため、スプリング５３が露出し、美観を損なっていた。
【０００３】
【発明が解決しようとする課題】
そこで、本発明は、表側からスプリングが見えず、美観に優れるとともに、組み立て時において、特に工具を必要とせずに組み立てが可能となる開閉蓋構造を提供することを目的とする。
【０００４】
【課題を解決するための手段】
前記課題を解決するための請求項１の発明は、ピンによって開閉自在に軸支され、前記ピン回りのスプリングによって閉じ方向に付勢された蓋体を本体に取り付ける開閉蓋構造であって、前記蓋体に前記ピンの両端を支持する両腕を突設し、前記両腕の間に位置して前記ピン及びこのピン回りに保持された前記スプリングに対する収納部を有するホルダを設け、このホルダの先端に前記本体の係合部に係合する可撓性係止片を設け、前記ホルダを前記本体に差し込むときに、一端側が前記蓋体側に保持された前記スプリングの他端側が前記蓋体を閉じる方向に付勢するように捩じられて前記収納部に保持されるようにした開閉蓋構造である。
蓋体の両腕の間にスプリングを配置してピンを通す。このとき、スプリングの一端は蓋体側の腕に当たって回り止めされている。蓋体の両腕の間にホルダを押し込み、ホルダの収納部にピン及びスプリングが嵌まる。このとき、スプリングの他端は収納部に嵌まる際に、扉を閉じる方向の付勢力が働くように回転する。この状態のホルダの可撓性係止片が本体の係止部に係合するように、ホルダ及び蓋体を本体に押し込む。すると、蓋体が閉じ方向に付勢されて本体に開閉自在に取り付けられる。
【０００５】
請求項２の発明は、前記本体の内部側に取り付けられる機器保持体に、前記可撓性係止片が前記係合部から外れる方向の変形を阻止するロック部を設けた請求項１記載の開閉蓋構造である。
ホルダを本体に押し込んで、組み立てが完了すると、ホルダの可撓性係止片の変形がロック部で阻止されるため、ホルダ及び蓋体が抜け出ることがない。ロック部材を可撓性係止片から外すと、可撓性係止片を変形させてホルダを本体から抜くことが出来る。
【０００６】
請求項３の発明は、前記本体の前記係合部の両側に、前記ピンの両端側を支持するための凹部及び前記ピンの端が当たる壁部が設けられている請求項１または２記載の開閉蓋構造である。
ピンの軸が本体の凹部で支持され、蓋体の開閉時にピンの位置が変わらない。また、ピンの両端が本体の壁部に当たり抜けることもない。
【０００７】
請求項４の発明は、前記本体に前記蓋体が埋もれる凹所が設けられている請求項１記載の開閉蓋構造である。
前記本体の凹部に蓋体が埋もれるため、閉じた状態の蓋体と本体とが同一面となる。
【０００８】
請求項５の発明は、前記本体の内部側に取り付けられる機器保持体に、前記蓋体を開閉して操作するスイッチが設けられている請求項１〜４のいずれかに記載の開閉蓋構造である。
本体の内側からスイッチが設けられた機器保持体を取り付けると、蓋体の開閉でスイッチが操作できるようになる。
【０００９】
以下、図面を参照しながら、本発明の開閉蓋構造について具体的に説明する。図１は本発明に係る開閉蓋構造の組立概略図を、図２は組立正面図を、図３は図２におけるＡ−Ａ線断面図を、図４は図２におけるＢ−Ｂ線断面図を示す。本発明に係る開閉蓋構造は、構造の基部となる本体３と、本体３に取り付けられ、内部のスイッチ等の機器を保護する蓋体１と、蓋体１の開閉動作の軸となるピン５と、ピン５に保持され蓋体１の閉じる方向に付勢するスプリング６と、スプリング６を収納するとともに、蓋体１等を本体に固定するホルダ２と、スイッチ等の機器を保持し、本体３の内部に取り付けられて、ホルダ２の外れる方向への変形を阻止するロック部９を有する機器保持体４とで構成されている。
【００１０】
本体３は、図１に示すように、蓋体１が嵌合された時に、本体３の面と蓋体１の面とが均一な面となるように蓋体１を収納する凹所１０が形成されている。この凹所１０は、その略中央にスイッチ等が設置される開口部２１が形成されている。そして、その上部には、ホルダ２が係合する係止部１６が形成されている。係止部１６は、その中央にホルダ２が差し込まれる挿入口１７が形成され、その両側に、ピン５及びピン５回りに保持されているスプリング６を支持する凹部１２が設けられている。この凹部１２は、一方がスプリング６を保持できる形状であり、他方がピン５が保持できる形状となっていることが好ましい。これによって、開閉運動の軸となるピン５及びスプリング６とのがたつきを抑制することができる。また、この凹部１２とピン５の端が当たる壁部１１との間には、蓋体１に設けられたピン５の両端を支持する腕２０ａ，２０ｂが装入され、開閉運動する空間部１４が形成されている。
【００１１】
蓋体１は、その下部に手前側に突出し、開閉時に蓋体１を引っ張れる把手２２が形成され、上部にホルダ２が挿入される切り欠きが形成され、その両端には、ピン５を保持する腕２０ａ，２０ｂが形成されている。この腕２０ａ，２０ｂに挿入され、蓋体１の開閉運動の軸となるピン５は、蓋体１の幅と略同じ長さであることが好ましい。これによって、本体３に嵌合された時に、その両端が本体３の壁部１１に当たりピン５が蓋体１の腕２０ａ，２０ｂから脱落することを予防できる。
【００１２】
このピン５回りに保持されるスプリング６は、一般的なスプリングでよく、特に、一端６ａと他端６ｂとが、同一面側に位置するように巻き回されているものが好ましい。これによって、後述するように、蓋体１等と共に本体３に組付けられたときに、蓋体１を閉じる方向に強い付勢が作用するようになるからである。
【００１３】
以上のピン５及びこのピン５回りに保持されるスプリング６を保持するホルダ２は、蓋体１と同一面となる面の裏側に、本体内側に向かって延びる一対の可撓性係止片７を有し、この可撓性係止片７の内側には、ピン５回りに保持されたスプリング６を収納する収納部８が形成されている。また、これら可撓性係止片７の本体３の係止部１６と接する面側には、係止部１６の内面に設けられている段部１８（図３参照）と係合する爪１９が形成されている。
【００１４】
機器保持体４は、スイッチボタン１５によってオン・オフされる回路がプリントされたプリント基板１３（図３参照）が背面に取り付けれた状態で、本体３の裏側に取り付けられている。機器保持体４は、本体３の係止部１６に差し込まれたホルダ２の可撓性係止片７が係止部１６から外れる方向の変形を阻止するように、可撓性係止片７を押し広げるロック部９が形成されている。
【００１５】
以上のように構成されている各部品の組立方法について図１〜図４により説明する。先ず、図１に示すように、ピン５を蓋体１の一方側の腕２０ｂに設けられた穴に通し、スプリング６を貫通させて、蓋体１の他方端側の腕２０ａに設けられた穴に通す。この時、スプリング６の捩じり方向と蓋体１の閉じる方向とが同一方向となるようにして、ピン５によって貫通して保持する。これによって、組付けた時に、蓋体１には閉じる方向に付勢力が作用する。次に、スプリング６をスライドさせて、図２に示すように一端６ａが腕２０ａの壁に当たるようにする。この時、他端６ｂは、蓋体１の腕２０ａ，２０ｂの間の中央付近に位置するようにする。
【００１６】
次に、これらピン５及びピン５回りに保持されたスプリング６をホルダ２の一対の可撓性係止片７の間に形成された収納部８の間に収めるようにして、ホルダ２を本体３の係止部１６に形成されている挿入口１７に差し込む。この時、スプリング６の一端６ｂは、収納部８の内壁によって内側に捩じられるように回転する。このため、蓋体１の腕２０ａの壁に当たっている他端６ａが、蓋体１を閉じる方向に付勢力が作用するようになる。
【００１７】
可撓性係止片７は、図３に示すように、本体３の係止部１６に設けられた挿入口１７に差し込まれる時、挿入口１７の内壁によって、先端部はその幅を狭められるようにして差し込まれる。そして、係止部１６に設けられた段部１８と可撓性係止片７に設けられた爪１９とが係合することで、ホルダ２と本体３とは係合する。これによって、蓋体１は、本体３に設けられている凹所１０内に埋もれ、蓋体１が閉じた状態で、ホルダ２と、蓋体１及び本体３とで同一面を形成する。この時、ピン５及びスプリング６は、係止部１６に形成された凹部１２で軸支される。これによって、ピン５及びスプリング６を開閉運動の軸としてがたつくことが無くなる。また、蓋体１の腕２０ａ，２０ｂは、図４に示すように、係止部１６の両側に形成されている空間部１４内に装入され、開閉時にはその壁面を沿うようにして開閉運動を行う。
【００１８】
また、図２に示すように、ホルダ２は、スプリング６をその収納部８内に収納しているため、スプリング６は表面から隠蔽されて確認することができない。このため、スプリング６が外部に露出することもなく、外観が損なわれることがなくなる。
【００１９】
機器保持体４は、前述のように蓋体１を係合する前に本体３の背面側に取り付けても良いし、蓋体１を係合した後に取り付けてもよい。この機器保持体４の取り付けは、特に限定されず、任意の方法で本体３に取り付けることができる。機器保持体４が取り付けられることによって、この機器保持体４に設けられているロック部９が、図３に示すように、ホルダ２に形成されている一対の可撓性係止片７の間に位置するようになり、この可撓性係止片７の本体３の係止部１６との係合が解除される方向への変形を阻止することができ、ホルダ２が本体３から抜け出ることを阻止することができる。逆に、ホルダ２を抜き取るときは、ロック部９を抜き取る、即ち、機器保持体４を本体３の背面より取り除く必要がある。
【００２０】
以上のよう、本発明に係る開閉蓋構造は、特別な工具や両面テープ等を使用することなく、ホルダ２で、蓋体１によって支持されているピン５及びこのピン５回りに保持されたスプリング６を収納して、本体３に押し込むというワンアクションで、蓋体１を本体３に取り付けることができ、簡単に組み立てることができる。また、開閉運動の軸となるピン５及びスプリング６が表面から隠蔽されて、外観を損なうことがない。
【００２１】
以上のようにして組み立てれる開閉蓋構造の作動について、以下に説明する。蓋体１を開くときは、蓋体１の下部に設けられている把手２２に手を掛けて手前に引っ張ることで開くことができる。このとき、蓋体１は、図４に示すように、腕２０ａ，２０ｂに通るピン５を軸として、開閉運動を行う。この時、蓋体１の腕２０ａの壁に当たっているスプリング６の一端６ａは、腕２０ａによって、内側に押し倒されるように回転する。このため、蓋体１の開いた状態を保持する為に支えている手を放すと、このスプリング６の一端６ａの元に戻ろうとする力で、蓋体１は元の閉じた状態に戻る。したがって、蓋体１は、本体３の内部に設置されたスイッチボタン１５を押す時等の必要な時以外は常に閉じた状態となっている。また、開閉運動の回転軸よりも、蓋体１の腕２０ａ，２０ｂの上端が上方に位置しているため、図４に示すように、蓋体１は９０度以上の角度で開くことができる。
【００２２】
以上のように、本発明に係る開閉蓋構造であると、必要なときに蓋体１を開けてスイッチの操作を行うため、非常時に使用するスイッチや、不用意に操作してはならないスイッチを保護する開閉蓋として適しており、また、本体３と蓋体１とが同一面を形成するとともに、回転軸となるピン５やスプリング６が表面から見えないため、外観がすっきりとする。
【００２３】
なお、本実施形態では、ピン５を一つの部品として別個使用したが、例えば、ホルダ２や、蓋体１や、本体３の何れかにスプリング６を保持できるような突起を設けることで、このピン５と同様の働きをする部分をこれらの一部として設けることが可能である。
【００２４】
また、本実施形態例では、可撓性係止片７の抜け止めとして、機器保持体４に形成されたロック部９を示したが、可撓性係止片７と、係止部１６に設けられている段部１８との角度を調節し、例えば、この両者を本体３の表面と平行になるような角度とすることで、ロック部９を設けなくても、ホルダ２を確実に係合することが可能となる。
【００２５】
【発明の効果】
請求項１によると、  蓋体のピンとスプリングを収納するホルダを本体に押し込むというワンアクションで蓋体を取り付けることができ、組み立てが簡単にできる。また、軸及びスプリングがホルダに覆われ見えないため、開閉蓋の外観がすっきりする。
【００２６】
請求項２によると、ホルダの本体への係合状態が固定されて、蓋体が本体から外れなくなる。
【００２７】
請求項３によると、蓋体の開閉時に蓋体ががたつくことが無く、確実な蓋体の開閉動作が確保できる。
【００２８】
請求項４によると、蓋体が閉じた状態の外観がすっきりとする。
【００２９】
請求項５によると、船舶用機器のうち、ＳＯＳ発信、重要機器の電源など不用意に操作してはならないスイッチを蓋体で保護し、必要なときに蓋体を開けて操作できる。
【図面の簡単な説明】
【図１】本発明に係る開閉蓋構造の組立概略図を示す。
【図２】本発明に係る開閉蓋構造の組立正面図を示す。
【図３】図２におけるＡ−Ａ線断面図を示す。
【図４】図２におけるＢ−Ｂ線断面図を示す。
【図５】従来の開閉蓋構造の一例を示す斜視図である。
【符号の説明】
１  蓋体
２  ホルダ
３  本体
４  機器保持体
５  ピン
６  スプリング
７  可撓性係止片
８  収納部
９  ロック部
１０  凹所
１１  壁部
１２  凹部
１３  プリント基板
１４  空間部
１５  スイッチボタン
１６  係止部
１７  挿入口
１８  段部
１９  爪
２０ａ，２０ｂ  腕
２１  開口部
２２  把手
【図１】
0004393675.tif 000002
【図２】
0004393675.tif 000003
【図３】
0004393675.tif 000004
【図４】
0004393675.tif 000005
【図５】
0004393675.tif 000006